(57)【要約】【課題】本発明は、溶接固着に向かない折板を用いながらも、負圧耐力を向上させた折板屋根構造及びその施工方法を提供することを目的とする。【解決手段】本発明の目的は、メッキ鋼板で形成された長尺な屋根板たる折板が並んだ折板屋根構造において、断面かぎ状連結具２３の立ち上がり中央部若しくは立ち上がり下部と前記折板連結部との間に局所的な溶接部５Ａが設けられてなり、若しくは、前記かぎ状連結具２３の断面かぎ形状に沿って前記折板連結部が屈曲及び巻き込んだ状態にして前記かぎ状連結具２３の立ち上がり上部と前記折板連結部との間に局所的な溶接部５Ｂが設けられてなり、若しくは前記隣接方向の断面形状が十字型である十字連結具２３Ｄの水平延設部２３２Ｄと前記折板連結部との間に局所的な溶接部５Ｃが設けられてなることを特徴とする折板屋根構造としたことによって達成される。【選択図】図１
2017210810.tif 000002
【特許請求の範囲】
【請求項１】
メッキ鋼板で形成された長尺な屋根板たる折板が並んだ折板屋根構造において、隣接する２つの折板連結部同士の連結であって、断面かぎ状連結具の立ち上がり中央部若しくは立ち上がり下部と前記折板連結部との間に局所的な溶接部が設けられてなり、若しくは、前記かぎ状連結具の断面かぎ形状に沿って前記折板連結部が屈曲及び巻き込んだ状態にして前記かぎ状連結具の立ち上がり上部と前記折板連結部との間に局所的な溶接部が設けられてなり、若しくは前記隣接方向の断面形状が十字型である十字連結具の水平延設部と前記折板連結部との間に局所的な溶接部が設けられてなることを特徴とする折板屋根構造。
【請求項２】
請求項１に記載の折板屋根構造において、前記長尺な屋根板たる折板を、前記かぎ状連結具又は前記十字連結具で隣接する２つの折板連結部同士を連結する折板屋根構造であって、前記長尺方向を長手方向と称することとし、該長手方向に直交する方向を幅方向と称することとしたときに、前記折板には主板の幅方向の一端に長尺である第１折板連結部が設けられ、他の一端には長尺である第２折板連結部が設けられ、前記折板の第１折板連結部と、前記折板に隣接する折板の第２折板連結部が連結した配置であって、前記第１折板連結部は、前記かぎ状連結具を巻き込んで、若しくは前記かぎ状連結具又は前記十字連結具に折り込まれて保持されて、更に、前記第２折板連結部は、前記かぎ状連結具を巻き込んで、若しくは前記かぎ状連結具又は前記十字連結具に折り込まれて保持されてなり、前記第１折板連結部と前記第２折板連結部が、前記かぎ状連結具又は前記十字連結具を挟持する構成にして、前記第１折板連結部と前記かぎ状連結具又は前記十字連結具との間に局所的な溶接部が設けられ、前記第２折板連結部と前記かぎ状連結具又は前記十字連結具との間に局所的な溶接部が設けられていることを特徴とする折板屋根構造。
【請求項３】
請求項２に記載の折板屋根構造において、前記かぎ状連結具は連結部固定具によって緊締受け躯体に固定され、前記かぎ状連結具は鉛直上方に延びる連結具首部と、該連結具首部に延設された連結具中央部及び連結具先端部を有し、前記第１折板連結部には外側から前記主板に向かってそれぞれ長尺である第１折板連結先端部と、第１折板連結中央部及び第１折板連結首部が設けられ、前記第２折板連結部には外側から前記主板に向かってそれぞれ長尺である第２折板連結先端部と、第２折板連結中央部及び第２折板連結首部が設けられてなり、前記かぎ状連結具中央部及び前記かぎ状連結具先端部が前記第１折板連結先端部と、前記第１折板連結中央部を折り込んで保持した状態で、前記第２折板連結先端部と前記第２折板連結中央部が、前記かぎ状連結具中央部及び前記かぎ状連結具先端部を巻き込んで保持する状態であって、前記第１折板連結首部と前記第２折板連結首部が、前記連結具首部を挟持する構成にして、前記第１折板連結部と前記かぎ状連結具との間に局所的な溶接部が設けられ、前記第２折板連結部と前記かぎ状連結具との間に局所的な溶接部が設けられていることを特徴とする折板屋根構造。
【請求項４】
請求項３に記載の折板屋根構造において、前記第１折板連結首部と前記かぎ状連結具との間に局所的な溶接部が設けられ、若しくは、前記第１折板連結首部と前記かぎ状連結具及び前記第２折板連結首部との間に局所的な溶接部が設けられてなることを特徴とする折板屋根構造。
【請求項５】
請求項３に記載の折板屋根構造において、前記第１折板連結中央部と前記かぎ状連結具との間に局所的な溶接部が設けられ、若しくは、前記第１折板連結中央部と前記かぎ状連結具及び前記第２折板連結中央部との間に局所的な溶接部が設けられてなることを特徴とする折板屋根構造。
【請求項６】
請求項２に記載の折板屋根構造において、前記十字連結具は、鉛直上方に延びる連結具首部と、該連結具首部から前記折板に向かって延設された第１延設中央部及び第１延設先端部と、前記連結具首部から前記隣接折板に向かって延設された第２延設中央部及び第２延設先端部を有し、前記第１折板連結部には外側から前記主板に向かってそれぞれ長尺である第１折板連結先端部と、第１折板連結中央部及び第１折板連結首部が設けられ、前記第２折板連結部には外側から前記主板に向かってそれぞれ長尺である第２折板連結先端部と、第２折板連結中央部及び第２折板連結首部が設けられてなり、前記第１延設先端部と前記第１延設中央部はそれぞれ、前記第１折板連結先端部と前記第１折板連結中央部を折り込んで保持し、前記第２延設先端部と前記第２延設中央部はそれぞれ、前記第２折板連結先端部と前記第２折板連結中央部を折り込んで保持してなり、前記第１折板連結首部と前記第２折板連結首部が、前記連結具首部を挟持する構成にして、前記第１折板連結部と前記十字連結具との間に局所的な溶接部が設けられ、前記第２折板連結部と前記十字連結具との間に局所的な溶接部が設けられていることを特徴とする折板屋根構造。
【請求項７】
請求項６に記載の折板屋根構造において、前記第１折板連結首部と前記十字連結具及び前記第２折板連結首部との間に局所的な溶接部が設けられてなることを特徴とする折板屋根構造。
【請求項８】
請求項６に記載の折板屋根構造において、前記第１折板連結中央部と前記十字連結具との間に局所的な溶接部が設けられ、前記第２折板連結中央部と前記十字連結具との間に局所的な溶接部が設けられていることを特徴とする折板屋根構造。
【請求項９】
請求項６に記載の折板屋根構造において、前記第１折板連結部と前記第２折板連結部を覆うキャップ材と前記十字連結具及び前記第１折板連結部との間に局所的な溶接部が設けられ、前記キャップ材と前記十字連結具及び前記第２折板連結部との間に局所的な溶接部が設けられていることを特徴とする折板屋根構造。
【請求項１０】
メッキ鋼板で形成された長尺な屋根板たる折板が並んだ折板屋根構造において、隣接する２つの折板連結部同士を連結する折板屋根構造の施工方法であって、断面かぎ状連結具又は断面形状を十字型に形成した十字連結具を用いる施工方法であって、前記かぎ状連結具を用いる場合には前記かぎ状連結具の鉛直立ち上がり中央部若しくは立ち上がり下部と前記折板連結部との間を局所的に溶接し、若しくは、前記かぎ状連結具の鉛直立ち上がり上部と前記折板連結部との間を局所的に溶接してから、前記折板連結部で前記かぎ状連結具を巻き込む施工方法にして、前記十字連結具を用いる場合には前記十字連結具は鉛直立ち上がり上部に前記隣接方向に延びる水平延設部を設けて断面形状を十字型に形成した十字連結具であって、前記水平延設部と前記折板連結部との間を局所的に溶接することを特徴とする折板屋根構造の施工方法。
【請求項１１】
請求項１０に記載の折板屋根構造の施工方法において、前記長尺な屋根板たる折板を、前記かぎ状連結具又は前記十字連結具で隣接する２つの折板連結部同士を連結する折板屋根構造の施工方法であって、前記長尺方向を長手方向と称することとし、該長手方向に直交する方向を幅方向と称することとしたときに、前記折板には主板の幅方向の一端に長尺である第１折板連結部を設けて、他の一端には長尺である第２折板連結部を設け、前記折板の第１折板連結部と、前記折板に隣接する折板の第２折板連結部が連結するように配置し、前記かぎ状連結具を用いる場合には、前記第１折板連結部は、前記かぎ状連結具を巻き込んで、若しくは前記かぎ状連結具に折り込まれて保持されるようにし、更に、前記第２折板連結部は、前記かぎ状連結具を巻き込んで、若しくは前記かぎ状連結具に折り込まれて保持されるようにし、前記第１折板連結部と前記第２折板連結部に、前記かぎ状連結具を挟持させたうえで、前記第１折板連結部と前記かぎ状連結具を局所的に溶接し、前記第２折板連結部と前記かぎ状連結具を局所的に溶接することを特徴とする折板屋根構造の施工方法にして、前記十字連結具を用いる場合には、前記第１折板連結部は、前記十字連結具に折り込まれて保持されるようにし、前記第２折板連結部は、前記十字連結具に折り込まれて保持されるようにし、前記第１折板連結部と前記第２折板連結部に、前記十字連結具を挟持させたうえで、前記第１折板連結部と前記十字連結具を局所的に溶接し、前記第２折板連結部と前記十字連結具を局所的に溶接することを特徴とする折板屋根構造の施工方法。
【請求項１２】
請求項１１に記載の折板屋根構造の施工方法において、前記かぎ状連結具を連結部固定具で緊締受け躯体に固定し、前記かぎ状連結具は鉛直上方に延びる連結具首部と、該連結具首部に延設された連結具中央部及び連結具先端部を形成し、前記第１折板連結部には外側から前記主板に向かってそれぞれ長尺である第１折板連結先端部と、第１折板連結中央部及び第１折板連結首部を設け、前記第２折板連結部には外側から前記主板に向かってそれぞれ長尺である第２折板連結先端部と、第２折板連結中央部及び第２折板連結首部が設けたうえで、前記かぎ状連結具中央部及び前記かぎ状連結具先端部に前記第１折板連結先端部と、前記第１折板連結中央部を折り込んで保持させ、前記第２折板連結先端部と、前記第２折板連結中央部で前記かぎ状連結具中央部及び前記かぎ状連結具先端部を巻き込んで、前記第１折板連結首部と前記第２折板連結首部が、前記連結具首部を挟持するように締め付けたうえで、前記第１折板連結首部と前記かぎ状連結具および前記第２折板連結首部を局所的に溶接し、若しくは前記第１折板連結中央部と前記かぎ状連結具および前記第２折板連結中央部を局所的に溶接することを特徴とする折板屋根構造の施工方法。
【請求項１３】
請求項１１に記載の折板屋根構造の施工方法において、前記かぎ状連結具を連結部固定具で緊締受け躯体に固定し、前記かぎ状連結具は鉛直上方に延びる連結具首部と、該連結具首部に延設された連結具中央部及び連結具先端部を形成し、前記第１折板連結部には外側から前記主板に向かってそれぞれ長尺である第１折板連結先端部と、第１折板連結中央部及び第１折板連結首部を設け、前記第２折板連結部には外側から前記主板に向かってそれぞれ長尺である第２折板連結先端部と、第２折板連結中央部及び第２折板連結首部を設けたうえで、前記かぎ状連結具中央部及び前記かぎ状連結具先端部に前記第１折板連結先端部と、前記第１折板連結中央部を折り込んで保持させ、前記第１折板連結首部と前記かぎ状連結具を局所的に溶接し、若しくは前記第１折板連結中央部と前記かぎ状連結具を局所的に溶接し、前記第２折板連結先端部と、前記第２折板連結中央部で前記かぎ状連結具中央部及び前記かぎ状連結具先端部を巻き込んで、前記第１折板連結首部と前記第２折板連結首部が、前記連結具首部を挟持するように締め付けることを特徴とする折板屋根構造の施工方法。
【請求項１４】
請求項１１に記載の折板屋根構造の施工方法において、前記十字連結具には、鉛直上方に延びる連結具首部と、該連結具首部から前記折板に向かって延設された第１延設中央部及び第１延設先端部と、前記連結具首部から前記隣接折板に向かって延設された第２延設中央部及び第２延設先端部を形成し、前記第１折板連結部には外側から前記主板に向かってそれぞれ長尺である第１折板連結先端部と、第１折板連結中央部及び第１折板連結首部を設け、前記第２折板連結部には外側から前記主板に向かってそれぞれ長尺である第２折板連結先端部と、第２折板連結中央部及び第２折板連結首部を設け、前記第１延設先端部と前記第１延設中央部に、それぞれ前記第１折板連結先端部と前記第１折板連結中央部を折り込んで保持させ、前記第２延設先端部と前記第２延設中央部に、それぞれ前記第２折板連結先端部と前記第２折板連結中央部を折り込んで保持させ、前記第１折板連結首部と前記第２折板連結首部が、前記連結具首部を挟持するように締め付けたうえで、前記第１折板連結首部と前記十字連結具及び前記第２折板連結首部を局所的に溶接することを特徴とする折板屋根構造の施工方法。
【請求項１５】
請求項１１に記載の折板屋根構造の施工方法において、前記十字連結具には、鉛直上方に延びる連結具首部と、該連結具首部から前記折板に向かって延設された第１延設中央部及び第１延設先端部と、前記連結具首部から前記隣接折板に向かって延設された第２延設中央部及び第２延設先端部を形成し、前記第１折板連結部には外側から前記主板に向かってそれぞれ長尺である第１折板連結先端部と、第１折板連結中央部及び第１折板連結首部を設け、前記第２折板連結部には外側から前記主板に向かってそれぞれ長尺である第２折板連結先端部と、第２折板連結中央部及び第２折板連結首部を設け、前記第１延設先端部と前記第１延設中央部には、それぞれ前記第１折板連結先端部と前記第１折板連結中央部を折り込んで保持させ、前記第２延設先端部と前記第２延設中央部には、それぞれ前記第２折板連結先端部と前記第２折板連結中央部を折り込んで保持させ、前記第１折板連結首部と前記第２折板連結首部が、前記連結具首部を挟持するように締め付けたうえで、前記第１折板連結中央部と前記十字連結具を局所的に溶接し、前記第２折板連結中央部と前記十字連結具を局所的に溶接することを特徴とする折板屋根構造の施工方法。
【請求項１６】
請求項１１に記載の折板屋根構造の施工方法において、前記十字連結具には、鉛直上方に延びる連結具首部と、該連結具首部から前記折板に向かって延設された第１延設中央部及び第１延設先端部と、前記連結具首部から前記隣接折板に向かって延設された第２延設中央部及び第２延設先端部を形成し、前記第１折板連結部には外側から前記主板に向かってそれぞれ長尺である第１折板連結先端部と、第１折板連結中央部及び第１折板連結首部を設け、前記第２折板連結部には外側から前記主板に向かってそれぞれ長尺である第２折板連結先端部と、第２折板連結中央部及び第２折板連結首部を設け、前記第１延設先端部と前記第１延設中央部には、それぞれ前記第１折板連結先端部と前記第１折板連結中央部を折り込んで保持させ、前記第２延設先端部と前記第２延設中央部には、それぞれ前記第２折板連結先端部と前記第２折板連結中央部を折り込んで保持させ、前記第１折板連結首部と前記第２折板連結首部が、前記連結具首部を挟持するように締め付けたうえで前記第１折板連結部と前記第２折板連結部をキャップ材で覆い、前記第１折板連結部と前記十字連結具及び前記キャップ材を局所的に溶接し、前記第２折板連結部と前記十字連結具及び前記キャップ材を局所的に溶接することを特徴とする折板屋根構造の施工方法。
【発明の詳細な説明】
【技術分野】
【０００１】
本発明は、折板屋根構造及びその施工方法に関する。
【背景技術】
【０００２】
近年、耐久性と外観の美しさを備えた金属屋根が普及している。特許文献１には、ステンレス材などの非メッキ長尺鋼板の立ち上がり部同士をシーム溶接で溶接固着させた屋根構造が記載されている。この屋根構造はステンレス鋼板を用いるがゆえに水密性と耐久性に優れるが、ステンレスを用いるゆえに高価である。そのため、博物館、展示場や空港等の恒久的に使用される公共施設に用いられることが多い。このような屋根構造の課題は、広く普及させるには高コストであることである。
【０００３】
また、特許文献２には、メッキ鋼板である折板で構成された折板屋根構造が記載されており、上記コスト高の課題を解決することができる。一般にメッキ鋼板は溶接に向かないため、同屋根構造ではタイトフレーム（同文献では、山形受金具１４）に固定の緊締止具（同文献では、吊子９）に、隣接する折板の端同士を折り込んで締付ける、いわゆる馳締で結合している。このように折板で構成された屋根構造は軽量且つコスト面で優れる。そのため、このような屋根構造は、要求される耐用年数が２０年以下の建屋、例えば、工場や倉庫等で多用されている。
【先行技術文献】
【特許文献】
【０００４】
【特許文献１】特開平１１−２９３８６２号公報
【特許文献２】特開昭５８−９４５５１号公報
【発明の概要】
【発明が解決しようとする課題】
【０００５】
折板屋根など、長尺鋼板を用いた屋根構造を説明するにあたり、以後、長尺鋼板の長い方向を長手方向と称し、これに直交する方向を幅方向と称することとする。特許文献１に記載の金属防水構造屋根では、図１１（Ｃ）に示すように、長尺ステンレス鋼板Ｊ１６ａの起立部Ｊ３４と隣接長尺ステンレス鋼板Ｊ１６ｂの隣接起立部Ｊ２３で、下地ＪＴに固定の吊子可動片Ｊ４９を挟持している。更に、隣接起立部Ｊ２３に延設された馳折部Ｊ２４が吊子可動片Ｊ４９と起立部Ｊ３４を巻き込んでいる。その上で、馳折部Ｊ２４と、起立部Ｊ３４と、吊子可動片Ｊ４９及び隣接起立部Ｊ２３が、長手方向全体に亘ってシーム溶接されている。この溶接部はシーム溶接部Ｊ５７ｂである。
【０００６】
同金属防水構造屋根の施工方法を図１１（Ａ）と（Ｂ１）に示す。図１１（Ａ）に示すように、まず、起立部Ｊ３４と隣接起立部Ｊ２３で吊子可動片Ｊ４９を挟持する。その後、馳折部Ｊ２４を折り曲げる前に、起立部Ｊ３４と、吊子可動片Ｊ４９及び隣接起立部Ｊ２３を局所的な溶接、例えばスポット溶接Ｊ５７ａをする。これは、馳折部Ｊ２４を折り曲げる際に起立部Ｊ３４と隣接起立部Ｊ２３がずれないようにする仮止めである。また、後工程で起立部Ｊ３４と隣接起立部Ｊ２３等の長手方向全体に亘ってシーム溶接Ｊ５７ｂをするに際してずれを防止するための仮止めでもある。
【０００７】
同金属防水構造屋根は、図１１（Ｃ）に示すように、最終的に長手方向全体に亘るシーム溶接Ｊ５７ｂにより、負圧耐力を維持している。ここで、負圧とは、屋根材を上空へ吸い上げる圧力であって、台風、突風や竜巻によって生じる。負圧耐力とは、この負圧で破壊されずに屋根構造を保つ能力である。
【０００８】
図１１（Ｂ１）のように、スポット溶接Ｊ５７ａと馳折部Ｊ２４だけでは負圧耐力を維持できないことを以下説明する。負圧が作用すると、破線円ＰＡの内部領域を中心として、長尺ステンレス鋼板Ｊ１６ａが回転しようとする（図１１（Ｂ２））。同金属防水構造屋根は屈曲部の無い起立部Ｊ３４と屈曲部の無い吊子可動片Ｊ４９の突合せ先端付近を局所的なスポット溶接部Ｊ５７ａで固定したものであって、この回転を防ぐ構成はスポット溶接Ｊ５７ａと馳折部Ｊ２４である。馳折部Ｊ２４は吊子可動片Ｊ４９よりも柔らかい鋼板であって、長尺ステンレス鋼板Ｊ１６ａの回転を防止するには十分ではない。また、スポット溶接部Ｊ５７ａは長尺ステンレス鋼板Ｊ１６ａの回転中心となる、破線円ＰＡの内部に形成されたものであるから、回転を抑えるモーメントを発生させる目的としては不適切である。よって、スポット溶接Ｊ５７ａと馳折部Ｊ２４だけで負圧耐力を維持することは不可能である。
【０００９】
特許文献１に記載の金属防水構造屋根はステンレス鋼板に対して長尺方向全体に亘って、シーム溶接を施すことによって負圧耐力を維持していた。一方、折板屋根構造に用いられる折板はメッキ鋼板であるため一般的に溶接は困難である。メッキ鋼板の中には、アルミニウム重量比５５％の合金をメッキした鋼板は比較的溶接性が良いといわれている。しかしそれでも、電気溶接の端子を汚すなど溶接には困難が伴う。溶接をする場合には連結面全域の溶接ではなく、溶接箇所を限るなどの対策が必要である。
【００１０】
特許文献２に記載の屋根構造が代表する折板屋根構造は、馳締めという簡単な構成ながらも水密性と強度に優れ、軽量構造という点でも優れている。しかし、爆弾低気圧や突風などにより、許容を超える負圧が作用すると馳締めによる折板連結部が分解して屋根構造が破壊されてしまうという課題を有している。そこで、本発明の目的、すなわち解決しようとする技術的課題は、溶接固着に向かない折板を用いながらも、負圧耐力を向上させた折板屋根構造及びその施工方法を提供することにある。
【課題を解決するための手段】
【００１１】
そこで、請求項１の発明を、メッキ鋼板で形成された長尺な屋根板たる折板が並んだ折板屋根構造において、隣接する２つの折板連結部同士の連結であって、断面かぎ状連結具の立ち上がり中央部若しくは立ち上がり下部と前記折板連結部との間に局所的な溶接部が設けられてなり、若しくは、前記かぎ状連結具の断面かぎ形状に沿って前記折板連結部が屈曲及び巻き込んだ状態にして前記かぎ状連結具の立ち上がり上部と前記折板連結部との間に局所的な溶接部が設けられてなり、若しくは前記隣接方向の断面形状が十字型である十字連結具の水平延設部と前記折板連結部との間に局所的な溶接部が設けられてなることを特徴とする折板屋根構造としたことにより、上記課題を解決した。
【００１２】
また、請求項２の発明を、請求項１に記載の折板屋根構造において、前記長尺な屋根板たる折板を、前記かぎ状連結具又は前記十字連結具で隣接する２つの折板連結部同士を連結する折板屋根構造であって、前記長尺方向を長手方向と称することとし、該長手方向に直交する方向を幅方向と称することとしたときに、前記折板には主板の幅方向の一端に長尺である第１折板連結部が設けられ、他の一端には長尺である第２折板連結部が設けられ、前記折板の第１折板連結部と、前記折板に隣接する折板の第２折板連結部が連結した配置であって、前記第１折板連結部は、前記かぎ状連結具を巻き込んで、若しくは前記かぎ状連結具又は前記十字連結具に折り込まれて保持されて、更に、前記第２折板連結部は、前記かぎ状連結具を巻き込んで、若しくは前記かぎ状連結具又は前記十字連結具に折り込まれて保持されてなり、前記第１折板連結部と前記第２折板連結部が、前記かぎ状連結具又は前記十字連結具を挟持する構成にして、前記第１折板連結部と前記かぎ状連結具又は前記十字連結具との間に局所的な溶接部が設けられ、前記第２折板連結部と前記かぎ状連結具又は前記十字連結具との間に局所的な溶接部が設けられていることを特徴とする折板屋根構造としたことにより、上記課題を解決した。
【００１３】
請求項３の発明を、請求項２に記載の折板屋根構造において、前記かぎ状連結具は連結部固定具によって緊締受け躯体に固定され、前記かぎ状連結具は鉛直上方に延びる連結具首部と、該連結具首部に延設された連結具中央部及び連結具先端部を有し、前記第１折板連結部には外側から前記主板に向かってそれぞれ長尺である第１折板連結先端部と、第１折板連結中央部及び第１折板連結首部が設けられ、前記第２折板連結部には外側から前記主板に向かってそれぞれ長尺である第２折板連結先端部と、第２折板連結中央部及び第２折板連結首部が設けられてなり、前記かぎ状連結具中央部及び前記かぎ状連結具先端部が前記第１折板連結先端部と、前記第１折板連結中央部を折り込んで保持した状態で、前記第２折板連結先端部と前記第２折板連結中央部が、前記かぎ状連結具中央部及び前記かぎ状連結具先端部を巻き込んで保持する状態であって、前記第１折板連結首部と前記第２折板連結首部が、前記連結具首部を挟持する構成にして、前記第１折板連結部と前記かぎ状連結具との間に局所的な溶接部が設けられ、前記第２折板連結部と前記かぎ状連結具との間に局所的な溶接部が設けられていることを特徴とする折板屋根構造としたことにより、上記課題を解決した。
【００１４】
請求項４の発明を、請求項３に記載の折板屋根構造において、前記第１折板連結首部と前記かぎ状連結具との間に局所的な溶接部が設けられ、若しくは、前記第１折板連結首部と前記かぎ状連結具及び前記第２折板連結首部との間に局所的な溶接部が設けられてなることを特徴とする折板屋根構造としたことにより、上記課題を解決した。請求項５の発明を、請求項３に記載の折板屋根構造において、前記第１折板連結中央部と前記かぎ状連結具との間に局所的な溶接部が設けられ、若しくは、前記第１折板連結中央部と前記かぎ状連結具及び前記第２折板連結中央部との間に局所的な溶接部が設けられてなることを特徴とする折板屋根構造としたことにより、上記課題を解決した。
【００１５】
請求項６の発明を、請求項２に記載の折板屋根構造において、前記十字連結具は、鉛直上方に延びる連結具首部と、該連結具首部から前記折板に向かって延設された第１延設中央部及び第１延設先端部と、前記連結具首部から前記隣接折板に向かって延設された第２延設中央部及び第２延設先端部を有し、前記第１折板連結部には外側から前記主板に向かってそれぞれ長尺である第１折板連結先端部と、第１折板連結中央部及び第１折板連結首部が設けられ、前記第２折板連結部には外側から前記主板に向かってそれぞれ長尺である第２折板連結先端部と、第２折板連結中央部及び第２折板連結首部が設けられてなり、前記第１延設先端部と前記第１延設中央部はそれぞれ、前記第１折板連結先端部と前記第１折板連結中央部を折り込んで保持し、前記第２延設先端部と前記第２延設中央部はそれぞれ、前記第２折板連結先端部と前記第２折板連結中央部を折り込んで保持してなり、前記第１折板連結首部と前記第２折板連結首部が、前記連結具首部を挟持する構成にして、前記第１折板連結部と前記十字連結具との間に局所的な溶接部が設けられ、前記第２折板連結部と前記十字連結具との間に局所的な溶接部が設けられていることを特徴とする折板屋根構造としたことにより、上記課題を解決した。
【００１６】
請求項７の発明を、請求項６に記載の折板屋根構造において、前記第１折板連結首部と前記十字連結具及び前記第２折板連結首部との間に局所的な溶接部が設けられてなることを特徴とする折板屋根構造としたことにより、上記課題を解決した。請求項８の発明を、請求項６に記載の折板屋根構造において、前記第１折板連結中央部と前記十字連結具との間に局所的な溶接部が設けられ、前記第２折板連結中央部と前記十字連結具との間に局所的な溶接部が設けられていることを特徴とする折板屋根構造としたことにより、上記課題を解決した。請求項９の発明を、請求項６に記載の折板屋根構造において、前記第１折板連結部と前記第２折板連結部を覆うキャップ材と前記十字連結具及び前記第１折板連結部との間に局所的な溶接部が設けられ、前記キャップ材と前記十字連結具及び前記第２折板連結部との間に局所的な溶接部が設けられていることを特徴とする折板屋根構造としたことにより、上記課題を解決した。
【００１７】
請求項１０の発明を、メッキ鋼板で形成された長尺な屋根板たる折板が並んだ折板屋根構造において、隣接する２つの折板連結部同士を連結する折板屋根構造の施工方法であって、断面かぎ状連結具又は断面形状を十字型に形成した十字連結具を用いる施工方法であって、前記かぎ状連結具を用いる場合には前記かぎ状連結具の鉛直立ち上がり中央部若しくは立ち上がり下部と前記折板連結部との間を局所的に溶接し、若しくは、前記かぎ状連結具の鉛直立ち上がり上部と前記折板連結部との間を局所的に溶接してから、前記折板連結部で前記かぎ状連結具を巻き込む施工方法にして、前記十字連結具を用いる場合には前記十字連結具は鉛直立ち上がり上部に前記隣接方向に延びる水平延設部を設けて断面形状を十字型に形成した十字連結具であって、前記水平延設部と前記折板連結部との間を局所的に溶接することを特徴とする折板屋根構造の施工方法としたことにより、上記課題を解決した。
【００１８】
請求項１１の発明を、請求項１０に記載の折板屋根構造の施工方法において、前記長尺な屋根板たる折板を、前記かぎ状連結具又は前記十字連結具で隣接する２つの折板連結部同士を連結する折板屋根構造の施工方法であって、前記長尺方向を長手方向と称することとし、該長手方向に直交する方向を幅方向と称することとしたときに、前記折板には主板の幅方向の一端に長尺である第１折板連結部を設けて、他の一端には長尺である第２折板連結部を設け、前記折板の第１折板連結部と、前記折板に隣接する折板の第２折板連結部が連結するように配置し、前記かぎ状連結具を用いる場合には、前記第１折板連結部は、前記かぎ状連結具を巻き込んで、若しくは前記かぎ状連結具に折り込まれて保持されるようにし、更に、前記第２折板連結部は、前記かぎ状連結具を巻き込んで、若しくは前記かぎ状連結具に折り込まれて保持されるようにし、前記第１折板連結部と前記第２折板連結部に、前記かぎ状連結具を挟持させたうえで、前記第１折板連結部と前記かぎ状連結具を局所的に溶接し、前記第２折板連結部と前記かぎ状連結具を局所的に溶接することを特徴とする折板屋根構造の施工方法にして、前記十字連結具を用いる場合には、前記第１折板連結部は、前記十字連結具に折り込まれて保持されるようにし、前記第２折板連結部は、前記十字連結具に折り込まれて保持されるようにし、前記第１折板連結部と前記第２折板連結部に、前記十字連結具を挟持させたうえで、前記第１折板連結部と前記十字連結具を局所的に溶接し、前記第２折板連結部と前記十字連結具を局所的に溶接することを特徴とする折板屋根構造の施工方法としたことにより、上記課題を解決した。
【００１９】
請求項１２の発明を、請求項１１に記載の折板屋根構造の施工方法において、前記かぎ状連結具を連結部固定具で緊締受け躯体に固定し、前記かぎ状連結具は鉛直上方に延びる連結具首部と、該連結具首部に延設された連結具中央部及び連結具先端部を形成し、前記第１折板連結部には外側から前記主板に向かってそれぞれ長尺である第１折板連結先端部と、第１折板連結中央部及び第１折板連結首部を設け、前記第２折板連結部には外側から前記主板に向かってそれぞれ長尺である第２折板連結先端部と、第２折板連結中央部及び第２折板連結首部が設けたうえで、前記かぎ状連結具中央部及び前記かぎ状連結具先端部に前記第１折板連結先端部と、前記第１折板連結中央部を折り込んで保持させ、前記第２折板連結先端部と、前記第２折板連結中央部で前記かぎ状連結具中央部及び前記かぎ状連結具先端部を巻き込んで、前記第１折板連結首部と前記第２折板連結首部が、前記連結具首部を挟持するように締め付けたうえで、前記第１折板連結首部と前記かぎ状連結具および前記第２折板連結首部を局所的に溶接し、若しくは前記第１折板連結中央部と前記かぎ状連結具および前記第２折板連結中央部を局所的に溶接することを特徴とする折板屋根構造の施工方法としたことにより、上記課題を解決した。
【００２０】
請求項１３の発明を、請求項１１に記載の折板屋根構造の施工方法において、前記かぎ状連結具を連結部固定具で緊締受け躯体に固定し、前記かぎ状連結具は鉛直上方に延びる連結具首部と、該連結具首部に延設された連結具中央部及び連結具先端部を形成し、前記第１折板連結部には外側から前記主板に向かってそれぞれ長尺である第１折板連結先端部と、第１折板連結中央部及び第１折板連結首部を設け、前記第２折板連結部には外側から前記主板に向かってそれぞれ長尺である第２折板連結先端部と、第２折板連結中央部及び第２折板連結首部を設けたうえで、前記かぎ状連結具中央部及び前記かぎ状連結具先端部に前記第１折板連結先端部と、前記第１折板連結中央部を折り込んで保持させ、前記第１折板連結首部と前記かぎ状連結具を局所的に溶接し、若しくは前記第１折板連結中央部と前記かぎ状連結具を局所的に溶接し、前記第２折板連結先端部と、前記第２折板連結中央部で前記かぎ状連結具中央部及び前記かぎ状連結具先端部を巻き込んで、前記第１折板連結首部と前記第２折板連結首部が、前記連結具首部を挟持するように締め付けることを特徴とする折板屋根構造の施工方法としたことにより、上記課題を解決した。
【００２１】
請求項１４の発明を、請求項１１に記載の折板屋根構造の施工方法において、前記十字連結具には、鉛直上方に延びる連結具首部と、該連結具首部から前記折板に向かって延設された第１延設中央部及び第１延設先端部と、前記連結具首部から前記隣接折板に向かって延設された第２延設中央部及び第２延設先端部を形成し、前記第１折板連結部には外側から前記主板に向かってそれぞれ長尺である第１折板連結先端部と、第１折板連結中央部及び第１折板連結首部を設け、前記第２折板連結部には外側から前記主板に向かってそれぞれ長尺である第２折板連結先端部と、第２折板連結中央部及び第２折板連結首部を設け、前記第１延設先端部と前記第１延設中央部に、それぞれ前記第１折板連結先端部と前記第１折板連結中央部を折り込んで保持させ、前記第２延設先端部と前記第２延設中央部に、それぞれ前記第２折板連結先端部と前記第２折板連結中央部を折り込んで保持させ、前記第１折板連結首部と前記第２折板連結首部が、前記連結具首部を挟持するように締め付けたうえで、前記第１折板連結首部と前記十字連結具及び前記第２折板連結首部を局所的に溶接することを特徴とする折板屋根構造の施工方法としたことにより上記課題を解決した。
【００２２】
請求項１５の発明を、請求項１１に記載の折板屋根構造の施工方法において、前記十字連結具には、鉛直上方に延びる連結具首部と、該連結具首部から前記折板に向かって延設された第１延設中央部及び第１延設先端部と、前記連結具首部から前記隣接折板に向かって延設された第２延設中央部及び第２延設先端部を形成し、前記第１折板連結部には外側から前記主板に向かってそれぞれ長尺である第１折板連結先端部と、第１折板連結中央部及び第１折板連結首部を設け、前記第２折板連結部には外側から前記主板に向かってそれぞれ長尺である第２折板連結先端部と、第２折板連結中央部及び第２折板連結首部を設け、前記第１延設先端部と前記第１延設中央部には、それぞれ前記第１折板連結先端部と前記第１折板連結中央部を折り込んで保持させ、前記第２延設先端部と前記第２延設中央部には、それぞれ前記第２折板連結先端部と前記第２折板連結中央部を折り込んで保持させ、前記第１折板連結首部と前記第２折板連結首部が、前記連結具首部を挟持するように締め付けたうえで、前記第１折板連結中央部と前記十字連結具を局所的に溶接し、前記第２折板連結中央部と前記十字連結具を局所的に溶接することを特徴とする折板屋根構造の施工方法としたことにより、上記課題を解決した。
【００２３】
請求項１６の発明を、請求項１１に記載の折板屋根構造の施工方法において、前記十字連結具には、鉛直上方に延びる連結具首部と、該連結具首部から前記折板に向かって延設された第１延設中央部及び第１延設先端部と、前記連結具首部から前記隣接折板に向かって延設された第２延設中央部及び第２延設先端部を形成し、前記第１折板連結部には外側から前記主板に向かってそれぞれ長尺である第１折板連結先端部と、第１折板連結中央部及び第１折板連結首部を設け、前記第２折板連結部には外側から前記主板に向かってそれぞれ長尺である第２折板連結先端部と、第２折板連結中央部及び第２折板連結首部を設け、前記第１延設先端部と前記第１延設中央部には、それぞれ前記第１折板連結先端部と前記第１折板連結中央部を折り込んで保持させ、前記第２延設先端部と前記第２延設中央部には、それぞれ前記第２折板連結先端部と前記第２折板連結中央部を折り込んで保持させ、前記第１折板連結首部と前記第２折板連結首部が、前記連結具首部を挟持するように締め付けたうえで前記第１折板連結部と前記第２折板連結部をキャップ材で覆い、前記第１折板連結部と前記十字連結具及び前記キャップ材を局所的に溶接し、前記第２折板連結部と前記十字連結具及び前記キャップ材を局所的に溶接することを特徴とする折板屋根構造の施工方法としたことにより、上記課題を解決した。
【発明の効果】
【００２４】
請求項１に係る発明は、少ない溶接箇所にもかかわらず、折板屋根構造の負圧耐力を格段に向上させることができる効果がある。特に特許文献１に記載の金属防水構造屋根が断面鉛直な吊子可動片と起立部にスポット溶接した構造であるのに対して、請求項１に係る発明はかぎ状連結具（特許文献１の吊子可動片に該当）の断面かぎ形状に沿って折板連結部が巻き込んだ状態にしてスポット溶接されているため、前記かぎ状連結具と折板連結部がより一層強固に連結されている。
【００２５】
請求項２に係る発明は、かぎ状連結具を用いた場合は、該かぎ状連結具を挟持する折板の第１折板連結部と隣接折板の第２折板連結部が、該かぎ状連結具を挟んで局所的に溶接固着されているため、溶接箇所が極めて少ないにもかかわらず、前記第１折板連結部と前記第２折板連結部の合わせ角が開くことを効果的に防止することができる。また、前記十字連結具を用いた場合は、前記十字連結具を挟持する折板の第１折板連結部と隣接折板の第２折板連結部が、前記十字連結具を挟んで局所的に溶接固着されているため、溶接箇所が極めて少ないにもかかわらず、前記第１折板連結部と前記第２折板連結部の合わせ角が開くことを効果的に防止することができる。このように、合わせ角が開かず、前記かぎ状連結具又は前記十字連結具が、前記第１折板連結部と前記第２折板連結部の挟持から抜けないので、同折板屋根構造の負圧耐力を格段に向上させることができる効果がある。
【００２６】
請求項３に係る発明は、溶接箇所が極めて少ないにもかかわらず、格段に負圧耐力を向上させる効果がある。請求項４に係る発明は、前記折板と前記隣接折板の主板付近である、前記第１折板連結首部と前記かぎ状連結具および前記第２折板連結首部同士を溶接するので、極めて少ない溶接箇所でありながら、効果的に負圧耐力を向上させる効果がある。これは、既設の屋根に対しても、溶接部を追加することにより、負圧耐力を向上させることができる構造である。また、前記第１折板連結首部と前記かぎ状連結具のみを溶接する構成においては、前記第１折板連結首部の溶接箇所で、前記第２折板連結部で覆われる部分については直接風雨に曝されることが無いという効果がある。
【００２７】
請求項５に係る発明は、前記第１折板連結中央部と前記かぎ状連結具および前記第２折板連結中央部同士を溶接するので、折板屋根構造の上部を溶接することになる。したがって、前記折板屋根構造上に立って作業する作業員にとってはしゃがみこむなど無理な体勢をとらずに作業することができる効果がある。また、溶接箇所はメッキが剥げるが、この部分を防錆処置する作業もし易くなる効果がある。また、前記第１折板連結中央部と前記かぎ状連結具のみを溶接する構成においては、前記第１折板連結中央部の溶接箇所で、前記第２折板連結部で覆われる部分については直接風雨に曝されることが無いという効果がある。
【００２８】
請求項６に係る発明は、溶接箇所が極めて少ないにもかかわらず、格段に負圧耐力を向上させる効果がある。また、溶接した箇所はメッキが剥がれるが、ここをキャップ材で覆えば、直接風雨に曝されることが無いという効果がある。請求項７に係る発明は、前記折板と前記隣接折板の主板付近である、前記第１折板連結首部と前記十字連結具および前記第２折板連結首部同士を溶接するので、極めて少ない溶接箇所でありながら、効果的に負圧耐力を向上させる効果がある。また、溶接した箇所はメッキが剥がれるが、ここをキャップ材で覆えば、直接風雨に曝されることが無いという効果がある。
【００２９】
請求項８に係る発明は、前記第１折板連結中央部と前記十字連結具および前記第２折板連結中央部同士を溶接するので、折板屋根構造の上部を溶接することになる。したがって、前記折板屋根構造上に立って作業する作業員にとってはしゃがみこむなど無理な体勢をとらずに作業することができる効果がある。また、溶接した箇所はメッキが剥がれるが、ここをキャップ材で覆えば、直接風雨に曝されることが無いという効果がある。
【００３０】
請求項９に係る発明は、前記第１折板連結先端部と前記十字連結具および前記第２折板連結先端部同士を溶接するので、折板屋根構造の上部を溶接することになる。したがって、前記折板屋根構造上に立って作業する作業員にとってはしゃがみこむなど無理な体勢をとらずに作業することができる効果がある。また、キャップ材の上から溶接をするので、作業工程を簡略化することができ、且つ、前記キャップ材のずれを防止することができる効果がある。また、既設の屋根に対してキャップ材の上から溶接を形成することで、負圧耐力を強化することもできる。請求項１０に係る発明は、少ない溶接箇所にもかかわらず、折板屋根構造の負圧耐力を格段に向上させることができる折板屋根構造を施工できる効果がある。
【００３１】
請求項１１に係る発明は、かぎ状連結具を用いた場合には、前記折板の第１折板連結部と前記隣接折板の第２折板連結部が、該かぎ状連結具を挟持しているうえで溶接固着するため、溶接箇所が極めて少ないにもかかわらず、前記第１折板連結部と前記第２折板連結部の合わせ角が開くことを効果的に防止することができる。また、十字連結具を用いた場合は、前記折板の第１折板連結部と前記隣接折板の第２折板連結部が、該十字連結具を挟持しているうえで溶接固着するため、溶接箇所が極めて少ないにもかかわらず、前記第１折板連結部と前記第２折板連結部の合わせ角が開くことを効果的に防止することができる。このことにより、前記かぎ状連結具又は前記十字連結具が、前記第１折板連結部と前記第２折板連結部の挟持から抜けることを防げるので、同折板屋根構造の負圧耐力を格段に向上させる折板屋根構造を施工できる効果がある。
【００３２】
請求項１２に係る発明は、溶接箇所が極めて少ないにもかかわらず、格段に負圧耐力を向上させた折板屋根構造を施工することができる効果がある。請求項１３に係る発明は、溶接箇所が極めて少ないにもかかわらず、格段に負圧耐力を向上させた折板屋根構造を施工することができる効果がある。また、前記第２折板連結先端部と、前記第２折板連結中央部で前記かぎ状連結具中央部及び前記かぎ状連結具先端部を巻き込む前に、溶接をするので、前記かぎ状連結具の位置を確認し易いという効果がある。
【００３３】
請求項１４に係る発明は、溶接箇所が極めて少ないにもかかわらず、格段に負圧耐力を向上させた折板屋根構造を施工することができる効果がある。更に、溶接個所をキャップ材で覆うと、溶接によりメッキが剥がれたとしても直接風雨に曝されることが無いという効果がある。請求項１５に係る発明は、溶接箇所が極めて少ないにもかかわらず、格段に負圧耐力を向上させた折板屋根構造を施工することができる効果がある。また、溶接個所が上向きなので、作業及び確認がしやすいという効果がある。更に、溶接個所をキャップ材で覆うと、溶接によりメッキが剥がれたとしても直接風雨に曝されることが無いという効果がある。
【００３４】
請求項１６に係る発明は、前記第１折板連結先端部と前記十字連結具および前記第２折板連結先端部同士を溶接するので、折板屋根構造の上部を溶接することになる。したがって、前記折板屋根構造上に立って作業する作業員にとってはしゃがみこむなど無理な体勢をとらずに作業することができる効果がある。また、キャップ材の上から溶接をするので、作業工程を簡略化することができ、且つ、前記キャップ材のずれを防止することができる効果がある。また、既設の屋根に対してキャップ材の上から局所的に溶接するだけで負圧耐力を効果的に向上させることができる。
【図面の簡単な説明】
【００３５】
【図１】は本発明の折板屋根構造の第１実施形態に係る図であって、（Ａ）はかぎ状連結具の首部に局所的な溶接部を設けた断面図、（Ｂ）は同折板屋根構造において、かぎ状連結具の中央部に局所的な溶接部を設けた断面図、（Ｃ）は断面が十字形状の十字連結具において、水平延設部に局所的な溶接部を設けた断面図である。
【図２】は本発明の折板屋根構造の第２実施形態に係る図であって、（Ａ）は同折板屋根構造の斜視図、（Ｂ）は同折板屋根構造において、緊締止具を含む部分の断面図である。
【図３】は本発明の折板屋根構造の第３実施形態に係る折板屋根構造であって、（Ａ）は同折板屋根構造の斜視図、（Ｂ）は同折板屋根構造の施工に際して溶接部を形成する工程の図、（Ｃ）は同折板屋根構造において、緊締止具を含む部分の断面図である。
【図４】は本発明の折板屋根構造の第４実施形態に係る折板屋根構造であって、（Ａ）は同折板屋根構造の斜視図、（Ｂ）は同折板屋根構造の施工に際して溶接部を形成する工程の図、（Ｃ）は同折板屋根構造において、緊締止具を含む部分の断面図である。
【図５】は本発明の折板屋根構造の第５実施形態に係る折板屋根構造であって、（Ａ）は同折板屋根構造の斜視図、（Ｂ）は同折板屋根構造の施工に際して溶接部を形成する工程の図、（Ｃ）は同折板屋根構造において、緊締止具を含む部分の断面図である。
【図６】は本発明の折板屋根構造の第６実施形態に係る折板屋根構造であって、（Ａ）は同折板屋根構造において、緊締止具を含む部分の断面図、（Ｂ）は同折板屋根構造において、緊締止具を含まない部分の断面図、（Ｃ）は前記緊締止具を含む部分の断面拡大図、（Ｄ）は前記緊締止具の断面図、（Ｅ）は前記緊締止具を含まない部分の断面拡大図、（Ｆ）は同折板屋根構造の斜視図、（Ｇ）は十字連結具を含む断面図である。
【図７】は本発明の折板屋根構造の第７実施形態に係る折板屋根構造であって、（Ａ）は同折板屋根構造の斜視図、（Ｂ）は同折板屋根構造において、緊締止具を含む部分の断面図、（Ｃ）は十字連結具を含む部分の断面図である。
【図８】は本発明の折板屋根構造の第８実施形態に係る折板屋根構造であって、（Ａ）は同折板屋根構造の斜視図、（Ｂ）は同折板屋根構造において、緊締止具を含む部分の断面図、（Ｃ）は十字連結具を含む部分の断面図である。
【図９】は従来の折板屋根構造の例を示す図であって、（Ａ）は折板を形成するためのメッキ鋼板の平面図、（Ｂ）は同折板屋根構造の緊締受け躯体及び緊締止具を含む部分の断面図、（Ｃ）は同折板屋根構造に用いられるかぎ状連結具使った緊締止具の例を示す図、（Ｄ）は同折板屋根構造の緊締止具と緊締受け躯体を含む断面の拡大図である。
【図１０】は従来の折板屋根構造の例を示す図であって、（Ａ）は緊締受け躯体を含まない部分の断面図、（Ｂ）は同断面図の拡大図、（Ｃ）は緊締受け躯体を含まない断面図において、負圧によって同折板屋根構造が破壊される例を示す図、（Ｄ）、（Ｅ）、（Ｆ）緊締受け躯体を含む断面図において、負圧によって同折板屋根構造が破壊される例を示す図である。
【図１１】は長尺ステンレス鋼板をシーム溶接してなる、従来の屋根構造の図であって、（Ａ）は同屋根構造の施工途中の断面図、（Ｂ１）は施工中の図であって、スポット溶接を下後に馳折部を折った状態を示す図、（Ｂ２）は負圧が作用して、長尺ステンレス鋼板が回転する様子を示す図、（Ｃ）は長尺ステンレス鋼板をシーム溶接してなる、従来の屋根構造の断面図である。
【発明を実施するための形態】
【００３６】
図９を参照して、従来の典型的な馳締め折板の構成を確認する。図９（Ａ）は長尺屋根板たる折板に加工されるべき、長尺のメッキ鋼板である。説明の便宜上、このメッキ鋼板から形成される折板の１つを折板３とし、これに隣接して設置される折板を隣接折板４と称することとする。原則的には、折板３と隣接折板４は同一形状をした折板である。また、説明の便宜上、前記長尺な方向を長手方向と称することとし、該長手方向に直交する方向を幅方向と称することとする。
【００３７】
折板３及び隣接折板４の中央部は帯状の主板３２であって、折板屋根本体を形成する部分である。そして、折板３及び隣接折板４の一端には長尺である第１折板連結部３１が設けられている。該第１折板連結部３１には外側から主板３２に向かってそれぞれ長尺である第１折板連結先端部３１１と、第１折板連結中央部３１２及び第１折板連結首部３１３が設けられている。前記折板３及び隣接折板４の他の一端には長尺である第２折板連結部４１が設けられている。該第２折板連結部４１は、長尺である第２折板連結部には外側から主板３２に向かってそれぞれ長尺である第２折板連結先端部４１１と、第２折板連結中央部４１２及び第２折板連結首部４１３が設けられている（図９（Ａ））。
【００３８】
折板屋根構造を形成するに当たっては、折板３と隣接折板４が隣接するように配置され、折板３の第１折板連結部３１は隣接折板４の第２折板連結部４１と重なった状態または近接した状態で連結形成される。また、これら折板の長手方向に、所定の距離毎に、連結部固定具２１で緊締受け躯体１に固定されているかぎ状連結具２３が巻き込まれることにより、折板３と隣接折板４が緊締受け躯体１に固定される。かぎ状連結具２３と連結部固定具２１を併せて、緊締止具２とも称することとする。
【００３９】
図９（Ｂ）は、前記メッキ鋼板を折板に加工して屋根構造を形成した図であって、Ｙ１−Ｙ１の方向に見た図である。折板３と隣接折板４は、かぎ状連結具２３と連結部固定具２１から成る緊締止具２で緊締受け躯体１に固定される。緊締受け躯体１は、建屋本体に設けられた梁（図示せず）に固定されている。以上、説明したように、折板屋根構造は折板３と隣接折板４が第１折板連結部３１と第２折板連結部４１で、いわゆる馳締め連結されている。更に、これら折板３と隣接折板４は、緊締受け躯体１に固定されているかぎ状連結具２３を所定距離毎に巻き込むことにより、前記建屋本体に固定されている。
【００４０】
図９（Ｃ）は一般的なかぎ状連結具２３と連結部固定具２１から成る緊締止具２の例である。かぎ状連結具２３は、垂直上方に立ち上がった連結具首部２３３と、その先に延設された、巻き込み形状の連結具中央部２３２及び連結具先端部２３１を有している。連結具首部２３３は、その上部をかぎ状連結具２３の立ち上がり中央部とも称し、その下部をかぎ状連結具２３の立ち上がり下部とも称する。また、前記かぎ状連結具中央部２３２はかぎ状連結具２３の立ち上がり上部と称することとする。図９（Ｄ）は緊締止具２によって、折板３と隣接折板４が緊締受け躯体１に固定されている例である。
【００４１】
そして、折板３の第１折板連結部３１と隣接折板４の第２折板連結部４１が連結可能なように配置されている。そして、連結具中央部２３２と連結具先端部２３１が前記第１折板連結先端部３１１と、前記第１折板連結中央部３１２を折り込んで保持した状態で、前記第２折板連結先端部４１１と前記第２折板連結中央部４１２が、連結具中央部２３２と連結具先端部２３１を巻き込むように締め付けられている。この締め付けによって、長尺である前記第１折板連結首部３１３と長尺である前記第２折板連結首部４１３が、連結具首部２３３を挟持する構成となっている。以上の構成にして、２以上の折板が連結され、且つ緊締受け躯体１に固定されている。
【００４２】
図１０（Ａ）と（Ｂ）には、緊締受け躯体以外の場所の折板屋根構造の断面図を示す。折板屋根構造のほとんどの領域はこのように、緊締受け躯体１と緊締止具２が存在しない断面である。すなわち、隣接する折板の第１折板連結部３１を第２折板連結部４１が巻き込むことで、両折板を連結している。以上が一般的な折板屋根構造である。
【００４３】
この折板屋根構造は軽量にもかかわらず、優れた強度を有している。しかし、この折板屋根構造に対して、上方から許容を超える負圧が作用すると、第２折板連結部４１による第１折板連結部３１の巻き込み構造が崩れて、折板屋根構造が分解されてしまう。我々の研究によれば、この巻き込み構造の崩れは第１折板連結首部３１３と第２折板連結首部４１３が、許容を超える負圧の作用で離れてしまうことをきっかけとして分解が進むことが分かっている。図１０（Ｃ）は緊締受け躯体１及び緊締止具２が存在しない領域での折板屋根構造の分解を示し、図１０（Ｄ）、（Ｅ）、（Ｆ）では緊締受け躯体１と緊締止具２が存在する領域での折板屋根構造の分解を示すものである。
【００４４】
［負圧耐力向上の原理と第１実施形態の構成］
図１に基づいて、本発明の折板屋根構造が優れた負圧耐力を有する原理を説明し、併せて、本発明の折板屋根構造の第１実施形態を説明する。図１は、本発明の折板屋根構造の第１実施形態における折板同士の連結を示す図である。メッキ鋼板で形成された長尺な屋根板たる折板３と隣接折板４が連結される様子を示している。これは、梁（図示せず）に固定の緊締受け躯体１及び、該緊締受け躯体１に固定された緊締止具２を含む断面構造である。緊締止具２はかぎ状連結具２３と連結部固定具２１で構成されている。
【００４５】
連結部固定具２１は緊締受け躯体１に固定されている。図１（Ａ）において、折板３の第１折板連結部３１と隣接折板４の第２折板連結部４１がかぎ状連結具２３の立ち上がり中央部若しくは立ち上がり下部である連結具首部２３３を挟持している。そして、前記第１折板連結部３１と前記連結具首部２３３及び前記第２折板連結部４１が溶接部５Ａで固定されている。該溶接部５Ａは局所的な溶接であって、例えば、スポット溶接である。
【００４６】
一般的な折板屋根構造では、溶接部５Ａが無いため、同折板屋根に許容を超える負圧がかかると、破線で示した折板３と折板４のように、両側が持ち上がって、先に説明したような折板屋根構造の破壊につながる。しかし、本発明の折板屋根構造では、破壊の中心である前記破線円ＰＡの内部から外れた所に局所的な溶接部５Ａが形成されている。このために、第１折板連結部３１と第２折板連結部４１は連結具首部２３３から容易に離れることは無く、折板屋根構造は維持される。以上が負圧耐力を向上させる原理である。このように、同折板屋根構造は、極めて限られた局所的な溶接にもかかわらず、負圧耐力を向上させる効果がある。
【００４７】
また、図１（Ｂ）は、かぎ状連結具２３を第２折板連結部４１が巻き込んだ状態にして、かぎ状連結具２３の立ち上がり上部である連結具中央部２３２と第１折板連結部３１及び第２折板連結部４１との間に局所的な溶接部５Ｂが設けられている。局所的な溶接は例えば、スポット溶接である。この例では、破線円ＰＡ内に溶接部５Ｂを設けている。ここでは、かぎ状連結具２３に沿って第１折板連結部３１を屈曲させ、第２折板連結部４１が前記かぎ状連結具２３を巻き込んだ態様にして、溶接部５Ｂが形成されている。
【００４８】
このように、かぎ状連結具２３を核として、第１折板連結部３１の屈曲と第２折板連結部４１の巻き込みを伴って溶接部５Ｂが形成されているため、破線円ＰＡ内に設けられたスポット溶接であっても、効果的に負圧耐力を向上させることができる。更に、溶接部がかぎ状連結具２３の上方なので、施工者業者にとって視認しやすく、しゃがみこんでの作業が不要なので作業しやすい効果がある。
【００４９】
また、図１（Ｃ）は十字連結具２３Ｄで折板を連結している例である。十字連結具２３Ｄは鉛直な立ち上がりである連結具首部２３３Ｄの上部に水平な延設である連結具中央部２３２Ｄを有し、その先に連結具先端部２３１Ｄ部を有している。前記連結具首部２３３Ｄの両側を区別するために、連結具首部２３３Ｄａと２３３Ｄｂと称することもある。十字連結具２３Ｄは連結部固定具２１Ｄで緊締受け躯体１に固定することができる。十字連結具２３Ｄと連結部固定具２１Ｄを合わせて緊締止具２Ｄと称することもある。
【００５０】
そして、本発明における折板屋根構造は、第１折板連結部３１が、十字連結具２３Ｄの水平延設部である連結具中央部２３２から連結具先端部２３１までのいずれかの箇所に溶接部５Ｃで固定される構成である。更に、第２折板連結部４１が、十字連結具２３Ｄの水平延設部である連結具中央部２３２から連結具先端部２３１までのいずれかの箇所に溶接部５Ｃで固定される構成である。溶接部５Ｃも局所的な溶接であって、例えば、スポット溶接である。
【００５１】
同折板屋根構造では、破線円ＰＡから外れた所に溶接部５Ｃが形成されているために、第１折板連結部３１と第２折板連結部４１は連結具首部２３３から容易に離れることは無く、折板屋根構造は維持される。このように、同折板屋根構造は、極めて限られた局所的な溶接にもかかわらず、負圧耐力を向上させる効果がある。また、十字連結具２３Ｄの上部に溶接をするので、作業員がしゃがみこんで施工することが少なく作業負担が軽いという効果がある。
【００５２】
［第２実施形態の構成］
次に、図２に基づいて、本発明の折板屋根構造の第２実施形態の構成を説明する。本発明の折板屋根構造に係る第２実施形態は、緊締受け躯体１と緊締止具２が存在する折板屋根構造断面において、第１折板連結首部３１３と第２折板連結首部４１３がそれぞれ、緊締止具２の連結具首部２３３に接し得る部分に局所的な溶接をする構成である。図２（Ａ）と（Ｂ）に示す例では、折板３の第１折板連結首部３１３と連結具首部２３３および第２折板連結首部４１３が局所的な溶接、例えばスポット溶接で固着されており、溶接部５Ａ１として表されている。
【００５３】
折板屋根構造の分解は、折板３の第１折板連結首部３１３と、隣接折板４の第２折板連結首部４１３の間が開いてしまうことがきっかけとなるので、この部分を溶接部５Ａ１として固着することは、効率的に折板同士の開きを防ぐことができる。したがって、溶接箇所を最小限に抑えながら、折板屋根構造の負圧耐力を最大限に向上させる効果がある。また、板材に貫通孔を設けてボルト等で締め付けるものではないため、水密性が確保されるという効果もある。また、同折板屋根構造は、既設の屋根に対して溶接部５Ａ１を追加することで負圧耐力を強化できる効果がある。
【００５４】
［第３実施形態の構成］
次に、図３に基づいて、本発明の折板屋根構造の第３実施形態の構成を説明する。同折板屋根構造は、緊締受け躯体１と緊締止具２が存在する折板屋根構造断面において、第１折板連結首部３１３が緊締止具２の連結具首部２３３に接し得る部分に局所的な溶接をする構成である。図３（Ａ）と（Ｃ）に示す例では、折板３の第１折板連結首部３１３と連結具首部２３３が局所的な溶接、例えばスポット溶接で固着されており、溶接部５Ａ２として表されている。第２折板連結部４１には溶接されておらず、溶接部５Ａ２を覆うように巻かれている。
【００５５】
したがって、図３（Ａ）の斜視図では、緊締止具２と溶接部５Ａ２は第２折板連結部４１で覆われていて不可視であるので破線で示されている。この構成を施工するには、図３（Ｂ）に示すように、第２折板連結部４１で緊締止具２を巻き込む前に、溶接５Ａ２を形成する必要がある。同折板屋根構造も、溶接部５Ａ２により負圧耐力が向上している。また、同折板屋根構造の施工においては、緊締止具２を第２折板連結部４１で覆う前に溶接するため、該緊締止具２の位置を確認しやすいという効果がある。
【００５６】
［第４実施形態の構成］
次に図４に基づいて、本発明の折板屋根構造の第４実施形態の構成を説明する。同折板屋根構造は、緊締受け躯体１と緊締止具２が存在する折板屋根構造断面において、第１折板連結中央部３１２と第２折板連結中央部４１２がそれぞれ、緊締止具２の連結具中央部２３２に接し得る部分に局所的な溶接をする構成である。図４（Ａ）と（Ｂ）に示す例では、折板３の第１折板連結中央部３１２と連結具中央部２３２および第２折板連結中央部４１２が局所的な溶接、例えばスポット溶接で固着されており、溶接部５Ｂ１として表されている。同折板屋根構造も、溶接部５Ｂ１により負圧耐力が向上している。また、同折板屋根構造の施工においては、緊締止具２の上部に溶接をするので、同折板屋根構造上に立つ施工者がしゃがみ込むことなく視認できるため施工し易いという効果がある。
【００５７】
［第５実施形態の構成］
次に図５に基づいて、本発明の折板屋根構造の第５実施形態の構成を説明する。
同折板屋根構造は、緊締受け躯体１と緊締止具２が存在する折板屋根構造断面において、第１折板連結中央部３１２と緊締止具２の連結具中央部２３２が接し得る部分に局所的な溶接をする構成である。図５（Ａ）と（Ｃ）に示す例では、折板３の第１折板連結中央部３１２と連結具中央部２３２が局所的な溶接、例えばスポット溶接で固着されており、溶接部５Ｂ２として表されている。溶接部５Ｂ２を形成するには、図５（Ｂ）に示すように、第２折板連結部４１で連結具先端部２３１を巻き込む前に第１折板連結中央部３１２と第１折板連結中央部３１２を溶接する。溶接５Ｂ２を形成した後に第２折板連結部で緊締止具２を覆うので、図５（Ａ）における斜視図では、該溶接５Ｂ２を視認することはできない。よって同図では接５Ｂ２を破線で示している。
【００５８】
同折板屋根構造も負圧耐力が向上している。この効果に加えて、溶接部５Ｂ２が形成される位置が馳締め箇所上部であり、同折板屋根構造上に立つ施工者がしゃがみ込むことなく視認できるため施工し易いという効果がある。更に、緊締止部２が第２折板連結部４１で覆われる前に溶接するので、該緊締止部２の位置を視認しやすいという効果がある。更に、第１折板連結中央部３１２の溶接個所は馳締めにより内部に巻き込まれて、直接の風雨にさらされることが無いという効果もある。
【００５９】
［第６実施形態の構成］
図６に基づいて、本発明の折板屋根構造の第６実施形態を説明する。図６（Ａ）と（Ｃ）は緊締受け躯体１Ｃの位置における、同折板屋根構造の断面図であり、図６（Ｂ）と（Ｅ）は緊締受け躯体１Ｃの存在しない断面図である。また、従来の折板構造と共通する部分については図９（Ａ）も適宜参照する。同折板屋根構造は、メッキ鋼板を材料とする長尺屋根板たる折板を、十字連結具２３Ｃで連結する折板屋根構造である。また、前記十字連結具２３Ｃの幾つかは、連結部固定具２１Ｃを有していて、緊締受け躯体１Ｃに固定されている。
【００６０】
連結部固定具２１Ｃを有する十字連結具２３Ｃは、該連結部固定具２１Ｃを含めて、緊締止具２Ｃとも称することとする。同折板屋根構造を構成する長尺屋根板たる折板は中央に帯状の主板３２Ｃ（図９（Ａ）では３２と表記）を有して、その両側の中の一端には長尺である第１折板連結部３１Ｃ（図９（Ａ）では３１と表記）が設けられ、他の一端には長尺である第２折板連結部４１Ｃ（図９（Ａ）では４１と表記）が設けられている。折板３Ｃの第１折板連結部３１Ｃと、隣接折板４Ｃの第２折板連結部４１Ｃとが互いに近接するように配置されている。
【００６１】
折板３Ｃの第１折板連結部３１Ｃと隣接折板４Ｃの第２折板連結部４１Ｃは共に十字連結具２３Ｃに折り込まれて保持されることにより、折板３Ｃと隣接折板４Ｃを連結する（図６（Ｃ））。また、これらの連結された第１折板連結部３１Ｃと第２折板連結部４１Ｃが十字連結具２３Ｃの中の連結具首部２３３Ｃを挟持するので、折板３Ｃと隣接折板４Ｃは緊締止具２Ｃを介して固定される。ここまでは、従来の折板屋根構造と共通する。しかし、同折板屋根構造は、第１折板連結部３１Ｃの第１折板連結首部３１３Ｃと緊締止具２Ｃの連結具首部２３３Ｃ及び第２折板連結部４１Ｃの第２折板連結首部４１３Ｃとが局所的に溶接で溶接固定されている構成である（図６（Ｄ））。
【００６２】
例えば、スポット溶接で実現される局所的な溶接部５Ａ１がここに形成されている。そのうえで、長尺であるキャップ材６が第１折板連結部３１Ｃと第２折板連結部４１Ｃ及び十字連結具２３Ｃを覆う構成である。キャップ材６は折板３Ｃ及び隣接折板４Ｃと同じ長さであってもよいが、これらよりも短いキャップ材として構成されて、複数のキャップ材で、前記折板３Ｃと隣接折板４Ｃの第１折板連結部及び十字連結具２３Ｃを覆う構成でもよい。
【００６３】
緊締止具２Ｃは緊締受け躯体１Ｃに固定された連結部固定具２１Ｃと十字連結具２３Ｃで構成される（図６（Ｄ））。十字連結具２３Ｃは垂直に伸びた連結具首部２３３Ｃと、これに直交固定されている第１延設中央部２３２Ｃａ、第２延設中央部２３２Ｃｂ及び、第１延設先端部２３１Ｃａと第２延設先端部２３１Ｃｂで構成される。第１延設先端部２３１Ｃａと第２延設先端部２３１Ｃｂはそれぞれ折板３Ｃの第１折板連結部３１Ｃと隣接折板４Ｃの第２折板連結部４１Ｃを折り込んで保持できるようにかぎ形状となっている。
【００６４】
また、図６（Ｇ）に示すように、十字連結具２３Ｃ単独で折板３Ｃと隣接折板４Ｃを連結することができて、この場合でも第１折板連結部３１Ｃの第１折板連結首部３１３Ｃと十字連結具２３Ｃの連結具首部２３３Ｃ及び第２折板連結部４１Ｃの第２折板連結首部４１３Ｃとが局所的に溶接部５Ａ１で溶接固定されている構成を設けて、負圧耐力を強化することができる。
【００６５】
折板３Ｃの第１折板連結部３１Ｃには端から主板３２Ｃに向かって順に、長尺である第１折板連結先端部３１１Ｃと、長尺である第１折板連結中央部３１２Ｃ及び長尺である第１折板連結首部３１３Ｃが設けられている。そして、折板３Ｃの他の一端である第２折板連結部４１Ｃには端から主板３２Ｃに向かって順に、長尺である第２第２折板連結先端部４１１Ｃと、長尺である第２折板連結中央部４１２Ｃ及び長尺である第２折板連結首部４１３Ｃが設けられている。隣接折板４Ｃも折板３Ｃと同一の構造である。以上は、緊締受け躯体１Ｃが存在する部分における、同折板屋根構造である。
【００６６】
同折板屋根構造において、緊締受け躯体１Ｃは前記折板の長手方向に所定の間隔で設けられているものである。したがって、同折板屋根構造の多くの領域は緊締受け躯体１Ｃ及び緊締止具２Ｃが存在しない構造である。これは図６（Ｂ）と（Ｅ）に示されている構造である。折り込められた第１折板連結先端部３１１Ｃと第１折板連結中央部３１２Ｃを有する折板３Ｃと、折り込められた第２第２折板連結先端部４１１Ｃと第２折板連結中央部４１２Ｃを有する隣接折板４Ｃとが、第１折板連結首部３１３Ｃと第２折板連結首部４１３Ｃで接しており、これらは長尺であるキャップ材６で覆われている。また、緊締受け躯体１Ｃが存しないところでも、十字連結具２３Ｃと溶接部５Ａ１によって負圧耐力を強化することができることは、図６（Ｇ）に示したとおりである。
【００６７】
負圧による折板屋根構造の分解は、折板３Ｃの第１折板連結首部３１３Ｃと、これに隣接する隣接折板４Ｃの第２折板連結首部４１３Ｃの間が開いてしまうことがきっかけとなるので、この部分を溶接５Ａ１で固着することは、効率的に折板同士の開きを防ぐことができる。したがって、溶接箇所を最小限に抑えながら、折板屋根構造の負圧耐力を最大限に向上させる効果がある。また、板材に貫通孔を設けてボルト等で締め付けるものではないため、水密性が確保されるという効果もある。更に、これらの溶接箇所を長尺キャップ材６で覆うので、溶接加工に伴ってメッキが剥がれた部分が直接風雨に曝されることがないという効果がある。
【００６８】
［第７実施形態の構成］
次に本発明の折板屋根構造の第７実施形態を説明する。同折板屋根構造は、第６実施形態の折板屋根構造におけるキャップ材６と、緊締受け躯体１Ｃと、緊締止具２Ｃと、折板３Ｃ及び隣接折板４Ｃは同一の部材である。そして、緊締受け躯体１Ｃが存在しない箇所の、同折板屋根構造は第６実施形態の構造と同一である。
【００６９】
図７に同折板屋根構造を示す。図７（Ａ）は、便宜上、キャップ材６を透かして示した、同折板屋根構造の斜視図である。緊締止具２Ｃのある所が緊締受け躯体１Ｃを含む構造をしている箇所である。図７（Ｂ）は、この場所における、同板屋根構造の断面図である。図７（Ｂ）に示すように、折り込められた第１折板連結先端部３１１Ｃと第１折板連結中央部３１２Ｃを有する折板３Ｃと、折り込められた第２第２折板連結先端部４１１Ｃと第２折板連結中央部４１２Ｃを有する隣接折板４Ｃとが、第１折板連結首部３１３Ｃと第２折板連結首部４１３Ｃで、緊締止具２Ｃを成す十字連結具２３Ｃの連結具首部２３３Ｃを挟持している。そして、これらは長尺であるキャップ材６で覆われている。
【００７０】
更に、第１折板連結中央部３１２Ｃと第１延設中央部２３２Ｃａが局所的な溶接部５Ｃで溶接固着されている。更に、第２折板連結中央部４１２Ｃと第２延設中央部２３２Ｃｂが局所的な溶接部５Ｃで溶接固着されている。すなわち、緊締止具２Ｃを介して局所的な溶接部５Ｃで第１折板連結部３１Ｃと第２折板連結部４１Ｃが溶接によって局所的に固定されている。
【００７１】
第７実施形態に係る折板屋根構造は、緊締止具２Ｃのある箇所で、該緊締止具２Ｃと溶接部５Ｃを介して折板３Ｃと隣接折板４Ｃが強固に連結されており、溶接箇所が少なくても、負圧耐力に優れた折板屋根構造を提供できる効果がある。また、板材に貫通孔を設けてボルト等で締め付けるものではないため、水密性が確保されるという効果がある。更に、これらの溶接箇所を長尺キャップ材６で覆うので、溶接加工に伴ってメッキが剥がれた部分が直接風雨に曝されることがないという効果がある。また、長尺キャップ材６を装着前の施工時においては、溶接箇所が上向きになっていて、作業者にとって視認性が良く、作業しやすいという効果がある。また、図７（Ｃ）に示すように、緊締受け躯体１Ｃの存しない所でも、十字連結具２３Ｃで折板３Ｃと隣接折板４Ｃを連結することができる。この場合でも、溶接部５Ｃを設けて負圧耐力を強化することが可能である。
【００７２】
［第８実施形態の構成］
次に本発明の折板屋根構造の第８実施形態を説明する。同折板屋根構造は、第６実施形態の折板屋根構造における緊締受け躯体１Ｃと、緊締止具２Ｃと、折板３Ｃ及び隣接折板４Ｃは同一の部材である。そして緊締受け躯体１Ｃが存在しない箇所の、同折板屋根構造は第６実施形態の構造と同一である。ただし、キャップ材６Ｄは第７実施形態のものと若干異なり、緊締止具２Ｃとの間で溶接しやすいように適宜形状に変更が加えられている。
【００７３】
図８に同折板屋根構造を示す。図８（Ａ）は同折板屋根構造の斜視図である。緊締止具２Ｃのある所が緊締受け躯体１Ｃを含む構造をしている箇所であって、キャップ材６Ｄごと、局所的な溶接部５Ｃ１で、緊締止具２Ｃと第１折板連結部３１Ｃ及び第２折板連結部４１Ｃが溶接固着されている。図８（Ｂ）に示すように、折り込められた第１折板連結先端部３１１Ｃと第１折板連結中央部３１２Ｃを有する折板３Ｃと、折り込められた第２第２折板連結先端部４１１Ｃと第２折板連結中央部４１２Ｃを有する隣接折板４Ｃとが、第１折板連結首部３１３Ｃと第２折板連結首部４１３Ｃで、緊締止具２Ｃを成す十字連結具２３Ｃの連結具首部２３３Ｃを挟持している。そして、これらは長尺であるキャップ材６で覆われている。
【００７４】
更に、第１折板連結部３１Ｃと第１延設中央部２３２Ｃａ若しくは第１延設先端部２３１Ｃａが、キャップ材６Ｄと共に局所的な溶接部５Ｃ１で溶接固着されている。更に、第２折板連結部４１Ｃと第２延設中央部２３２Ｃｂ若しくは第２延設先端部２３１Ｃｂが、キャップ部材６Ｄと共に局所的な溶接部５Ｃ１で溶接固着されている。すなわち、緊締止具２Ｃとキャップ材６Ｄを介して局所的な溶接部５Ｃ１で第１折板連結部３１Ｃと第２折板連結部４１Ｃが溶接によって局所的に固定されている。
【００７５】
第８実施形態に係る折板屋根構造は、緊締止具２Ｃのある箇所で、該緊締止具２Ｃ及びキャップ材５Ｄと溶接部５Ｃ１を介して折板３Ｃと隣接折板４Ｃが強固に連結されており、溶接箇所が少なくても、負圧耐力に優れた折板屋根構造を提供できる効果がある。また、施工時においては溶接すべき箇所が上向きになっていて、作業者にとって視認性が良く、作業しやすいという効果がある。更に、局所的に溶接固着されたキャップ材６Ｄは、ずれを防止する効果がある。また、同折板屋根構造は、既設の屋根に対して溶接部５Ｃ１を追加することで負圧耐力を強化できる効果がある。また、図８（Ｃ）に示すように、緊締受け躯体１Ｃの存しない所でも、十字連結具２３Ｃで折板３Ｃと隣接折板４Ｃを連結することができる。この場合でも、溶接部５Ｃ１を設けて負圧耐力を強化することが可能である。
【００７６】
［第１実施形態に係る折板屋根構造の施工方法］
メッキ鋼板を長尺な屋根板たる折板に形成した上で、折板３に隣接して、隣接折板４を配置して、それぞれの折板連結部同士を連結する。折板３と隣接折板４は原則的には同一形状の折板であって、それぞれ、長尺な第１折板連結部３１と第２折板連結部４１が設けられている。折板屋根構造の施工では、並べられた折板３の第１折板連結部３１と隣接折板４の第２折板連結部４１を連結する。かぎ状連結具２３と共に折板３と隣接折板４を連結する際には、第１折板連結部３１とかぎ状連結具２３及び第２折板連結部４１を局所的な溶接、例えばスポット溶接で固定する。
【００７７】
かぎ状連結具２３の立ち上がり部（連結具首部２３３）が第１折板連結部３１と第２折板連結部４１に挟持されている。負圧が作用して折板屋根構造が破壊されるときは、連結具首部２３３よりやや上部付近を中心として、第１折板連結首部３１３の下部と第２折板連結首部４１３の下部が離れて、回転するようにして破壊される。そこで、前記連結具首部２３３付近から離れた箇所において、第１折板連結部３１とかぎ状連結具２３及び第２折板連結部４１を局所的に溶接して固定する。
【００７８】
そうすると、図１（Ａ）に示すように、連結具首部２３３の中程から下方部において溶接されることとなる。また、図１（Ｃ）のように、断面が十字形状の場合には、連結具首部２３３の他、折板の隣接方向に延設された水平延設部（第１延設中央部２３２Ｄａと第２延設中央部２３２Ｄｂ）に溶接しても良い。
【００７９】
また、図１（Ｂ）に示すように、連結具首部２３３よりやや上部付近（連結具中央部２３２）であって、破線円ＰＡ内を溶接することができる。この場合でも、かぎ形状かぎ状連結具２３を核として、第１折板連結部３１を屈曲させて、第２折板連結部４１で巻き込む態様にして溶接部を設けているので、負圧耐力を強化することができる。以上が本発明の第１実施形態に係る折板屋根構造の施工方法である。
【００８０】
［第２実施形態と第４実施形態の施工方法］
本発明の折板屋根構造に係る第２実施形態〜第５実施形態の施工方法を説明する。同施工方法は、メッキ鋼板を材料とする長尺な折板３及び隣接折板４と、緊締受け躯体１及びかぎ状連結具２３を有する折板屋根構造の施工方法である。かぎ状連結具２３と緊締受け躯体１に固定された連結部固定具２１で緊締止具２が形成されている。
【００８１】
一方、折板３と隣接折板４として、その中央部に帯状の主板３２を有して、その両側の中の一端には長尺である第１折板連結部３１が設けられ、他の一端には長尺である第２折板連結部４１が設けられている折板を用いる。第１折板連結部３１には外側から主板３２に向かってそれぞれ長尺である第１折板連結先端部３１１と、第１折板連結中央部３１２及び第１折板連結首部３１３が設けられ、第２折板連結部４１には外側から主板３２に向かってそれぞれ長尺である第２折板連結先端部４１１と、第２折板連結中央部４１２及び第２折板連結首部４１３が設けられている。
【００８２】
折板３の第１折板連結部３１と、隣接折板４の第２折板連結部４１とが互いに重なるように若しくは近接するように、折板３と隣接折板４を配置する。そして、第１折板連結部３１でかぎ状連結具２３を巻き込んで、若しくはかぎ状連結具２３に第１折板連結部３１を折り込んで保持する。更に、第２折板連結部４１でかぎ状連結具２３を巻き込んで、若しくはかぎ状連結具２３に第２折板連結部４１を折り込んで保持する。以上の工程により、長尺である第１折板連結部３１と長尺である第２折板連結部４１が、かぎ状連結具２３を挟持するように折板３と隣接折板４がかぎ状連結具２３を介して連結される。
【００８３】
そして、第１折板連結部３１と第２折板連結部４１が接する箇所において、該第１折板連結部３１と該第２折板連結部４１同士の一部に溶接部を形成する。この時、第１実施形態に係る折板屋根構造を施工する場合には第１折板連結首部３１３と第２折板連結首部４１３同士を溶接固着し、第２実施形態に係る折板屋根構造を施工する場合には第１折板連結中央部３１２と第２折板連結中央部４１２同士を溶接固着する。但し、第１折板連結中央部３１２と第２折板連結中央部４１２同士を溶接固着する場合には、隣接折板４の第２折板連結部４１で第１折板連結部３１を巻き込む前に溶接を行う必要がある（図２（Ｂ）参照）。
【００８４】
［第３実施形態と第５実施形態の施工方法］
第３実施形態と第５実施形態は、それぞれ、第２折板連結部には溶接部を設けない折板屋根構造である。この場合、かぎ状連結具２３と、折板３及び隣接折板４の構造は、前述の第２実施形態に係る折板屋根構造の各部材の構造と、施工方法の途中までは同様である。すなわち、折板３の第１折板連結部３１と、隣接折板４の第２折板連結部４１とが互いに重なるように若しくは近接するように、折板３と隣接折板４を配置する。
【００８５】
そして、第１折板連結部３１でかぎ状連結具２３を巻き込んで、若しくはかぎ状連結具２３に第１折板連結部３１を折り込んで保持するところまでは、第２実施形態と同様である。しかし、第２折板連結部４１でかぎ状連結具２３を巻き込む前に、第１折板連結部とかぎ状連結具２３を溶接で固定する必要がある。溶接後に、第２折板連結部４１でかぎ状連結具２３を巻き込む。
【００８６】
［第６実施形態と第７実施形態の施工方法］
次に、本発明の折板屋根構造の第６実施形態と第７実施形態の施工方法を説明する。同施工方法は、メッキ鋼板を材料とする長尺な折板３Ｃ及び隣接折板４Ｃと、緊締受け躯体１Ｃ及び十字連結具２３Ｃと長尺なキャップ材６を有する折板屋根構造の施工方法である。十字連結具２３Ｃと緊締受け躯体１Ｃに固定された連結部固定具２１Ｃとで緊締止具２Ｃが形成されている。
【００８７】
一方、折板３Ｃと隣接折板４Ｃとして、その中央部に帯状の主板３２Ｃを有して、その両側の中の一端には長尺である第１折板連結部３１Ｃが設けられ、他の一端には長尺である第２折板連結部４１Ｃが設けられている折板を用いる。第１折板連結部３１Ｃには外側から主板３２Ｃに向かってそれぞれ長尺である第１折板連結先端部３１１Ｃと、第１折板連結中央部３１２Ｃ及び第１折板連結首部３１３Ｃが設けられ、第２折板連結部４１Ｃには外側から主板３２Ｃに向かってそれぞれ長尺である第２第２折板連結先端部４１１Ｃと、第２折板連結中央部４１２Ｃ及び第２折板連結首部４１３Ｃが設けられている。
【００８８】
折板３Ｃの第１折板連結部３１Ｃと、隣接折板４Ｃの第２折板連結部４１Ｃとが互いに重なるように若しくは近接するように、折板３Ｃと隣接折板４Ｃを配置する。そして、十字連結具２３Ｃは緊締受け躯体１Ｃから上方に延びる連結具首部２３３Ｃと、該連結具首部２３３Ｃから折板３Ｃの側に延設された第１延設中央部２３２Ｃａ及び第１延設先端部２３１Ｃａと、該連結具首部２３３Ｃから隣接折板４Ｃの側に延設された第２延設中央部２３２Ｃｂ及び第２延設先端部２３１Ｃｂを形成する。
【００８９】
そして、第１延設先端部２３１Ｃａと第１延設中央部２３２Ｃａに、折板３Ｃの第１折板連結先端部３１１Ｃと第１折板連結中央部３１２Ｃを折り込んで保持させる。次いで、第２延設先端部２３１Ｃｂと第２延設中央部２３２Ｃｂにそれぞれ、隣接折板４Ｃの第２第２折板連結先端部４１１Ｃと第２折板連結中央部４１２Ｃを折り込んで保持させる。この工程により、長尺である第１折板連結首部３１３Ｃと長尺である第２折板連結首部４１３Ｃが、連結具首部２３３Ｃを挟持するように締め付けられることとなる。
【００９０】
ここで、第６実施形態に係る折板屋根構造を施工する場合には、緊締止具２Ｃが含まれる場所において、折板３Ｃの第１折板連結首部３１３Ｃと連結具首部２３３Ｃ及び隣接折板４Ｃの第２折板連結首部４１３Ｃを局所的に溶接する。溶接固着して溶接部５Ａ１を形成してから、キャップ材６で溶接部５Ａ１と、第１折板連結部３１及び第２折板連結部４１を覆う。また、第７実施形態に係る折板屋根構造を施工する場合には、緊締止具２Ｃが含まれる場所において、第１折板連結中央部３１２Ｃと第１延設中央部２３２Ｃａを局所的に溶接し、第２折板連結中央部４１２Ｃと第２延設中央部２３２Ｃｂを局所的に溶接する。溶接固着して溶接部５Ｃを形成してから、キャップ材６で溶接部５Ｃと、第１折板連結部３１及び第２折板連結部４１を覆う。以上が、第４及び第５実施形態に係る折板屋根構造の施工方法である。
【００９１】
［第８実施形態の施工方法］
次に、本発明の折板屋根構造の第８実施形態の施工方法を説明する。同施工方法において、折板３Ｃと、隣接折板４Ｃと緊締止具２Ｃは第７実施形態の構成と同様である。キャップ材６Ｄは、第１延設先端部２３１Ｃａと第１延設中央部２３２Ｃａと第２延設先端部２３１Ｃｂ及び第２延設中央部２３２Ｃｂに接近して覆われるように、キャップ材６Ｄの形状が適宜構成される。
【００９２】
同折板屋根構造は、第７実施形態と同様の工程で、長尺である第１折板連結首部３１３Ｃと長尺である第２折板連結首部４１３Ｃが、連結具首部２３３Ｃを挟持するように締め込む。そして、第１折板連結先端部３１１Ｃと、第１折板連結中央部３１２Ｃと、第１延設先端部２３１Ｃａと、第１延設中央部２３２Ｃａと、第２折板連結先端部４１１Ｃと、第２折板連結中央部４１２Ｃと、第２延設先端部２３１Ｃｂ及び第２延設中央部２３２Ｃｂをキャップ材６Ｄで覆う。更に該キャップ材６Ｄごと、第１折板連結部３１Ｃと十字連結具２３Ｃを局所的に溶接し、第２折板連結部４１Ｃと十字連結具２３Ｃを局所的に溶接する。以上が、第８実施形態に係る折板屋根構造の施工方法である。第８実施形態に係る同折板屋根構造の施工方法は、既設の屋根に対しても、キャップ材６Ｄの上からスポット溶接することで負圧耐力を向上させることができる施工方法である。
【００９３】
一般に、メッキ鋼板は電気溶接に向かないといわれている。しかし、アルミニウム重量比５５％の合金による、合金メッキ鋼板であれば、その他のメッキ鋼板よりも溶接性が良いとされている。したがって、本発明の折板屋根構造に用いる折板は、例えば、アルミニウム重量比５５％の合金メッキ鋼板（例えば、ガルバリウム鋼板（登録商標）等）など、溶接性に優れたメッキ鋼板を用いることが好ましい。
【００９４】
溶接性に優れたメッキ鋼板を用いても、メッキ鋼板の溶接加工は、メッキ成分が溶接電極を汚す等の問題があり、可能な限り溶接箇所を限定したいものである。そこで、本発明の折板屋根構造は、極めて溶接箇所を減じたにもかかわらず、効果的に負圧耐力を向上させる折板屋根構造を提供するものである。
【００９５】
以上説明した、本発明の折板屋根構造の実施形態では局所的な溶接としてスポット溶接を例として説明した。しかし、各スポット溶接をつなげることにより、局所的にシーム溶接化したとしても本発明思想の範囲内である。
【符号の説明】
【００９６】
１，１Ｃ…緊締受け躯体、２，２Ｃ，２Ｄ…緊締止具、
２１，２１Ｃ，２１Ｄ…連結部固定具、２３…かぎ状連結具、２３１…連結具先端部、
２３２…連結具中央部、２３１Ｃａ，２３１Ｄａ…第１延設先端部、
２３１Ｃｂ，２３１Ｄｂ…第２延設先端部、２３２Ｃａ，２３２Ｄａ…第１延設中央部、
２３２Ｃｂ，２３２Ｄｂ…第２延設中央部、２３３，２３３Ｃ，２３３Ｄ…連結具首部、
２３Ｃ，２３Ｄ…十字連結具、３，３Ｃ…折板、３１，３１Ｃ…第１折板連結部、
３１１，３１１Ｃ…第１折板連結先端部、３１２，３１２Ｃ…第１折板連結中央部、
３１３，３１３Ｃ…第１折板連結首部、３２，３２Ｃ…主板、４，４Ｃ…隣接折板、
４１、４１Ｃ…第２折板連結部、４１１，４１１Ｃ…第２折板連結先端部、
４１２，４１２Ｃ…第２折板連結中央部、４１３，４１３Ｃ…第２折板連結首部、
５Ａ，５Ａ１，５Ａ２，５Ｂ１，５Ｂ２，５Ｃ，５Ｃ１…溶接部、
６，６Ｄ…キャップ材。 
【図１】
2017210810.tif 000003
【図２】
2017210810.tif 000004
【図３】
2017210810.tif 000005
【図４】
2017210810.tif 000006
【図５】
2017210810.tif 000007
【図６】
2017210810.tif 000008
【図７】
2017210810.tif 000009
【図８】
2017210810.tif 000010
【図９】
2017210810.tif 000011
【図１０】
2017210810.tif 000012
【図１１】
2017210810.tif 000013